(57)【要約】【課題】画面上の項目に設定値を設定することが不可能であるかないかを自動的に判定することにより、予め設定したたった１つの定義に基づいて、設定を実行することができる設定実行装置、設定実行方法および設定実行プログラムの提供を課題とする。【解決手段】本実施形態では、（１）定義マスタにおける定義に従い、画面上の項目についての項目ＩＤに対応する読込データ中の入力値を取得し、（２）前記画面上の前記項目に前記入力値を入力することが不可能であるかないかを識別するための文字列であって前記取得した入力値に対応する前記項目についてのものが、前記不可能であることを示すものであるかないかを判定し、（３）前記不可能であることを示すものではないと判定した場合、前記取得した入力値を前記画面上の前記項目に入力するという処理を、前記画面上の最初の前記項目から前記画面上の最後の前記項目までについて順に実行する。【選択図】図８
2020194330.tif 000002
【特許請求の範囲】
【請求項１】
制御部および記憶部を備える設定実行装置であって、
前記記憶部には、
画面上の項目を識別するための項目識別データと前記項目に設定するべき設定値とを対応付けて含む読込データと、
前記項目のすべてに対して、対応する前記設定値を設定するべき旨を定義する定義マスタと、
が格納されており、
前記制御部は、
前記定義マスタにおける定義に従い、前記画面上の前記項目についての前記項目識別データに対応する前記読込データ中の設定値を取得する取得手段と、
前記画面上の前記項目に前記設定値を設定することが不可能であるかないかを識別するための設定可否識別情報であって前記取得手段で取得した設定値に対応する前記項目についてのものが、前記不可能であることを示すものであるかないかを判定する判定手段と、
前記判定手段で前記不可能であることを示すものではないと判定した場合、前記取得手段で取得した設定値を前記画面上の前記項目に設定する設定手段と、
を備え、
前記取得手段、前記判定手段および前記設定手段は、それぞれ、前記取得、前記判定および前記設定を、前記画面上の最初の前記項目から前記画面上の最後の前記項目までについて順に実行すること、
を特徴とする設定実行装置。
【請求項２】
前記判定手段は、前記不可能であることを示すものではないと判定した場合、更に、前記項目に設定するべき設定値と同じ値が前記項目に設定済であるかないかを判定し、
前記設定手段は、前記判定手段で前記不可能であることを示すものではないと判定し、かつ、前記同じ値が設定済ではないと判定した場合、前記取得手段で取得した設定値を前記画面上の前記項目に設定すること、
を特徴とする請求項１に記載の設定実行装置。
【請求項３】
前記制御部は、
前記判定手段で前記不可能であることを示すものであると判定した旨または前記同じ値が設定済であると判定した旨を前記項目単位で含むログを生成するログ生成手段
を更に備えること、
を特徴とする請求項１または２に記載の設定実行装置。
【請求項４】
制御部および記憶部を備える情報処理装置で実行される設定実行方法であって、
前記記憶部には、
画面上の項目を識別するための項目識別データと前記項目に設定するべき設定値とを対応付けて含む読込データと、
前記項目のすべてに対して、対応する前記設定値を設定するべき旨を定義する定義マスタと、
が格納されており、
前記制御部で実行される、
前記定義マスタにおける定義に従い、前記画面上の前記項目についての前記項目識別データに対応する前記読込データ中の設定値を取得する取得ステップと、
前記画面上の前記項目に前記設定値を設定することが不可能であるかないかを識別するための設定可否識別情報であって前記取得ステップで取得した設定値に対応する前記項目についてのものが、前記不可能であることを示すものであるかないかを判定する判定ステップと、
前記判定ステップで前記不可能であることを示すものではないと判定した場合、前記取得ステップで取得した設定値を前記画面上の前記項目に設定する設定ステップと、
を含み、
前記取得ステップ、前記判定ステップおよび前記設定ステップは、それぞれ、前記取得、前記判定および前記設定を、前記画面上の最初の前記項目から前記画面上の最後の前記項目までについて順に実行すること、
を特徴とする設定実行方法。
【請求項５】
制御部および記憶部を備える情報処理装置に実行させるための設定実行プログラムであって、
前記記憶部には、
画面上の項目を識別するための項目識別データと前記項目に設定するべき設定値とを対応付けて含む読込データと、
前記項目のすべてに対して、対応する前記設定値を設定するべき旨を定義する定義マスタと、
が格納されており、
前記制御部に実行させるための、
前記定義マスタにおける定義に従い、前記画面上の前記項目についての前記項目識別データに対応する前記読込データ中の設定値を取得する取得ステップと、
前記画面上の前記項目に前記設定値を設定することが不可能であるかないかを識別するための設定可否識別情報であって前記取得ステップで取得した設定値に対応する前記項目についてのものが、前記不可能であることを示すものであるかないかを判定する判定ステップと、
前記判定ステップで前記不可能であることを示すものではないと判定した場合、前記取得ステップで取得した設定値を前記画面上の前記項目に設定する設定ステップと、
を含み、
前記取得ステップ、前記判定ステップおよび前記設定ステップは、それぞれ、前記取得、前記判定および前記設定を、前記画面上の最初の前記項目から前記画面上の最後の前記項目までについて順に実行すること、
を特徴とする設定実行プログラム。
【発明の詳細な説明】
【技術分野】
【０００１】
本発明は、設定実行装置、設定実行方法および設定実行プログラムに関する。
【背景技術】
【０００２】
特許文献１には、試験時の作業を軽減すると共に、システム変更に対して現場のデータを反映させ、ほぼ完全な試験を行うことのできる入力支援システムが開示されている（特許文献１の０００８段落参照）。
【先行技術文献】
【特許文献】
【０００３】
【特許文献１】特開２０００−９０１７７号公報
【発明の概要】
【発明が解決しようとする課題】
【０００４】
このようにオペレータの入力作業等の負荷の軽減を図る分野においては、近年、アプリケーション自動操作（RPA:Robotic  Process  Automation）の需要が高まっている。
【０００５】
アプリケーション自動操作の際には、画面上のある項目に設定する設定値によって他の項目の状態（入力可能かどうか等）が変化することがある。例えば、図３の例では、項目Ａの値によって他の項目の状態が変化する。具体的には、図３の（Ｘ）では、項目Ａとして左のラジオボタンを選択すると、項目Ｂも項目Ｃも入力可能となる。図３の（Ｙ）では、項目Ａとして真ん中のラジオボタンを選択すると、項目Ｂは入力不可（読取専用項目）となり、項目Ｃは入力可能となる。図３の（Ｚ）では、項目Ａとして右のラジオボタンを選択すると、項目Ｂは入力可能となり、項目Ｃは入力不可（非表示項目）となる。
【０００６】
ここで、従来においては、前段落で説明したようなある項目の設定値によって他の項目の状態が変化するという実装に対応するためには、画面項目の状態ごとに、自動設定を実行させるための定義を図４に示すように作成する必要があった。例えば、図３の（Ｘ）のパターンに対応するためには、図４に定義１で示すように「Ａに値をセット、Ｂに値をセット、Ｃに値をセット」という定義を作成する必要があり、図３の（Ｙ）のパターンに対応するためには、図４に定義２で示すように「Ａに値をセット、Ｂはスキップ、Ｃに値をセット」という定義を作成する必要があり、図３の（Ｚ）のパターンに対応するためには、図４に定義３で示すように「Ａに値をセット、Ｂに値をセット、Ｃはスキップ」という定義を作成する必要があった。
【０００７】
しかしながら、画面項目の状態ごとに定義を作成する（すなわち、複数の定義を作成する）のは、難易度が高くかつ設定が煩雑であるという問題があった。
【０００８】
本発明は、上記問題点に鑑みてなされたものであって、画面上の項目に設定値を設定することが不可能であるかないかを自動的に判定することにより、予め設定したたった１つの定義に基づいて、設定を実行することができる設定実行装置、設定実行方法および設定実行プログラムを提供することを目的とする。
【課題を解決するための手段】
【０００９】
上述した課題を解決し、目的を達成するために、本発明に係る設定実行装置は、制御部および記憶部を備える設定実行装置であって、前記記憶部には、画面上の項目を識別するための項目識別データと前記項目に設定するべき設定値とを対応付けて含む読込データと、前記項目のすべてに対して、対応する前記設定値を設定するべき旨を定義する定義マスタと、が格納されており、前記制御部が、前記定義マスタにおける定義に従い、前記画面上の前記項目についての前記項目識別データに対応する前記読込データ中の設定値を取得する取得手段と、前記画面上の前記項目に前記設定値を設定することが不可能であるかないかを識別するための設定可否識別情報であって前記取得手段で取得した設定値に対応する前記項目についてのものが、前記不可能であることを示すものであるかないかを判定する判定手段と、前記判定手段で前記不可能であることを示すものではないと判定した場合、前記取得手段で取得した設定値を前記画面上の前記項目に設定する設定手段と、を備え、前記取得手段、前記判定手段および前記設定手段は、それぞれ、前記取得、前記判定および前記設定を、前記画面上の最初の前記項目から前記画面上の最後の前記項目までについて順に実行すること、を特徴とする。
【００１０】
上述した課題を解決し、目的を達成するために、本発明に係る設定実行装置は、前記判定手段が、前記不可能であることを示すものではないと判定した場合、更に、前記項目に設定するべき設定値と同じ値が前記項目に設定済であるかないかを判定し、前記設定手段が、前記判定手段で前記不可能であることを示すものではないと判定し、かつ、前記同じ値が設定済ではないと判定した場合、前記取得手段で取得した設定値を前記画面上の前記項目に設定すること、を特徴とする。
【００１１】
上述した課題を解決し、目的を達成するために、本発明に係る設定実行装置は、前記制御部が、前記判定手段で前記不可能であることを示すものであると判定した旨または前記同じ値が設定済であると判定した旨を前記項目単位で含むログを生成するログ生成手段を更に備えること、を特徴とする。
【００１２】
また、本発明に係る設定実行方法は、制御部および記憶部を備える情報処理装置で実行される設定実行方法であって、前記記憶部には、画面上の項目を識別するための項目識別データと前記項目に設定するべき設定値とを対応付けて含む読込データと、前記項目のすべてに対して、対応する前記設定値を設定するべき旨を定義する定義マスタと、が格納されており、前記制御部で実行される、前記定義マスタにおける定義に従い、前記画面上の前記項目についての前記項目識別データに対応する前記読込データ中の設定値を取得する取得ステップと、前記画面上の前記項目に前記設定値を設定することが不可能であるかないかを識別するための設定可否識別情報であって前記取得ステップで取得した設定値に対応する前記項目についてのものが、前記不可能であることを示すものであるかないかを判定する判定ステップと、前記判定ステップで前記不可能であることを示すものではないと判定した場合、前記取得ステップで取得した設定値を前記画面上の前記項目に設定する設定ステップと、を含み、前記取得ステップ、前記判定ステップおよび前記設定ステップは、それぞれ、前記取得、前記判定および前記設定を、前記画面上の最初の前記項目から前記画面上の最後の前記項目までについて順に実行すること、を特徴とする。
【００１３】
また、本発明に係る設定実行プログラムは、制御部および記憶部を備える情報処理装置に実行させるための設定実行プログラムであって、前記記憶部には、画面上の項目を識別するための項目識別データと前記項目に設定するべき設定値とを対応付けて含む読込データと、前記項目のすべてに対して、対応する前記設定値を設定するべき旨を定義する定義マスタと、が格納されており、前記制御部に実行させるための、前記定義マスタにおける定義に従い、前記画面上の前記項目についての前記項目識別データに対応する前記読込データ中の設定値を取得する取得ステップと、前記画面上の前記項目に前記設定値を設定することが不可能であるかないかを識別するための設定可否識別情報であって前記取得ステップで取得した設定値に対応する前記項目についてのものが、前記不可能であることを示すものであるかないかを判定する判定ステップと、前記判定ステップで前記不可能であることを示すものではないと判定した場合、前記取得ステップで取得した設定値を前記画面上の前記項目に設定する設定ステップと、を含み、前記取得ステップ、前記判定ステップおよび前記設定ステップは、それぞれ、前記取得、前記判定および前記設定を、前記画面上の最初の前記項目から前記画面上の最後の前記項目までについて順に実行すること、を特徴とする。
【発明の効果】
【００１４】
本発明によれば、画面上の項目に設定値を設定することが不可能であるかないかを自動的に判定することにより、予め設定したたった１つの定義に基づいて、設定を実行することができるという効果を奏する。
【図面の簡単な説明】
【００１５】
【図１】図１は、設定実行装置の構成の一例を示すブロック図である。
【図２】図２は、定義の一例を示す図である。
【図３】図３は、画面項目の状態変化の一例を示す図である。
【図４】図４は、画面項目の状態ごとに作成した定義の一例を示す図である。
【図５】図５は、設定が失敗した場合の一例を示す図である。
【図６】図６は、画面上の項目の自動判定の概要の一例を示す図である。
【図７】図７は、ログ生成の概要の一例を示す図である。
【図８】図８は、画面上の項目の自動判定のフローチャートの一例を示す図である。
【図９】図９は、設定が失敗した場合のログ生成の一例を示す図である。
【図１０】図１０は、対象のテキストボックスが非表示の場合に生成されるログの一例を示す図である。
【図１１】図１１は、対象のテキストボックスが読取専用の場合に生成されるログの一例を示す図である。
【図１２】図１２は、セット値が未指定の場合に生成されるログの一例を示す図である。
【図１３】図１３は、テキストボックスが既にセットしようとする値になっている場合に生成されるログの一例を示す図である。
【図１４】図１４は、値のセットが成功した場合および失敗した場合に生成されるログの一例を示す図である。
【図１５】図１５は、操作対象項目が非表示項目であることを意味する文字列の一例を示す図である。
【図１６】図１６は、操作対象項目が読取専用項目であることを意味する文字列の一例を示す図である。
【図１７】図１７は、操作対象項目にセットしようとする値が既にセットされていることを意味する文字列の一例を示す図である。
【図１８】図１８は、対象コントロール操作の一覧を示す図である。
【図１９】図１９は、読込データおよび定義マスタの一例を示す図である。
【発明を実施するための形態】
【００１６】
以下に、本発明に係る設定実行装置、設定実行方法および設定実行プログラムの実施形態を、図面に基づいて詳細に説明する。なお、本実施形態により本発明が限定されるものではない。
【００１７】
［１．背景と概要］
まず、本発明の背景について図２〜図５を用いて説明し、本発明の概要について図６〜図７を用いて説明する。
【００１８】
［１−１．本発明の背景］
近年、アプリケーション自動操作（ＲＰＡ）の需要が高まっている。働き方改革等の動きもあり、定型作業の自動化が進んでいる。アプリケーションの自動操作には、例えば図２に示すような定義の作成が必要となるが、その定義作成のしやすさや、想定の動きをしない際の調査のしやすさが求められている。
【００１９】
ここで、アプリケーション自動操作においては、画面上の対象となる項目の状態が変化してしまうことがある。アプリケーション自動操作の際には、入力値は、一般的に、Ｅｘｃｅｌ、ｃｓｖ、ｔｘｔおよびｘｍｌ等のデータファイルから読み込みを行う。このため、同じ定義であっても入力値を変えることが可能であるが、アプリケーションによっては、その入力値によって他の項目の状態（例えば、入力可能かどうか等）が変化することがある。具体的に、図３には、項目Ａの値によって他の項目の状態が変わる例を示している。図３の（Ｘ）では、項目Ａとして左のラジオボタンを選択すると、項目Ｂも項目Ｃも入力可能となる。図３の（Ｙ）では、項目Ａとして真ん中のラジオボタンを選択すると、項目Ｂは入力不可（読取専用項目）となり、項目Ｃは入力可能となる。図３の（Ｚ）では、項目Ａとして右のラジオボタンを選択すると、項目Ｂは入力可能となり、項目Ｃは入力不可（非表示項目）となる。
【００２０】
従来の自動操作技術においては、前段落で説明したようなある項目の入力値によって他の項目の状態が変化するという実装に対応するためには、画面項目の状態ごとに図４に示すように自動操作を定義する必要があった。例えば、図３の（Ｘ）のパターンに対応するためには、図４に定義１で示すように「Ａに値をセット、Ｂに値をセット、Ｃに値をセット」という定義を作成する必要があり、図３の（Ｙ）のパターンに対応するためには、図４に定義２で示すように「Ａに値をセット、Ｂはスキップ、Ｃに値をセット」という定義を作成する必要があり、図３の（Ｚ）のパターンに対応するためには、図４に定義３で示すように「Ａに値をセット、Ｂに値をセット、Ｃはスキップ」という定義を作成する必要があった。しかしながら、このように画面項目の状態ごとに定義を作成するのは、定義作成の難易度が高く、かつ、そのパターンの定義も煩雑になってしまうという問題があった。本段落で説明した課題を、課題１とする。
【００２１】
また、従来の自動操作技術においては、本発明の主たる課題ではないが、画面項目の状態等に起因して自動操作が止まった場合、何が原因で失敗しているか分かりにくいため、定義の保守に多大なコストがかかってしまうという問題があった。例えば、図５に示すように、項目Ｂに値をセットする旨が定義されているが項目Ｂが読取専用項目である場合には、項目Ｂへの値のセットは失敗し自動操作は停止する。従来においては、項目Ｂへの値のセットが失敗したこと自体はわかっても、失敗の原因（＝項目Ｂが読取専用項目であるために値の設定が失敗した）まではわからなかった。本段落で説明した課題を、課題２とする。
【００２２】
［１−２．本発明の概要］
そこで、本実施形態においては、前記課題１を解決するために、例えば、図６に示すように、操作対象の項目の状態（非表示や読取専用等）やセットする値を判断し、操作を行うべきか等のオペレーションを自動で変更できるようにした。これにより、１つの自動操作定義（図６では、「Ａに値をセット、Ｂに値をセット、Ｃに値をセット」という定義）を作成するのみで、多くの入力パターンに対応できるようになる。
【００２３】
また、本実施形態においては、前記課題２を解決するために、例えば、操作対象の項目の状態（非表示や読取専用等）を判断し、操作をスキップした場合の理由や、操作に失敗した場合の原因をログに残せるようにした。つまり、図７に示すように、自動操作の判定結果をログとして残せるようにした。これにより、失敗原因がわかるので、自動操作の定義の保守がしやすくなる。以下、具体的な構成および動作について説明する。
【００２４】
［２．構成］
本実施形態に係る設定実行装置１００の構成の一例について、図１を参照して説明する。図１は、設定実行装置１００の構成の一例を示すブロック図である。
【００２５】
設定実行装置１００は、市販のデスクトップ型パーソナルコンピュータである。なお、設定実行装置１００は、デスクトップ型パーソナルコンピュータのような据置型情報処理装置に限らず、市販されているノート型パーソナルコンピュータ、ＰＤＡ（Ｐｅｒｓｏｎａｌ  Ｄｉｇｉｔａｌ  Ａｓｓｉｓｔａｎｔｓ）、スマートフォン、タブレット型パーソナルコンピュータなどの携帯型情報処理装置であってもよい。
【００２６】
設定実行装置１００は、制御部１０２と通信インターフェース部１０４と記憶部１０６と入出力インターフェース部１０８と、を備えている。設定実行装置１００が備えている各部は、任意の通信路を介して通信可能に接続されている。
【００２７】
通信インターフェース部１０４は、ルータ等の通信装置および専用線等の有線または無線の通信回線を介して、設定実行装置１００をネットワーク３００に通信可能に接続する。通信インターフェース部１０４は、他の装置と通信回線を介してデータを通信する機能を有する。ここで、ネットワーク３００は、設定実行装置１００とサーバ２００とを相互に通信可能に接続する機能を有し、例えばインターネットやＬＡＮ（Ｌｏｃａｌ  Ａｒｅａ  Ｎｅｔｗｏｒｋ）等である。なお、後述する各種マスタ等のデータは、例えばサーバ２００に格納されてもよい。
【００２８】
入出力インターフェース部１０８には、入力装置１１２および出力装置１１４が接続されている。出力装置１１４には、モニタ（家庭用テレビを含む）の他、スピーカやプリンタを用いることができる。入力装置１１２には、キーボード、マウス、及びマイクの他、マウスと協働してポインティングデバイス機能を実現するモニタを用いることができる。なお、以下では、出力装置１１４をモニタ１１４とし、入力装置１１２をキーボード１１２またはマウス１１２として記載する場合がある。
【００２９】
記憶部１０６には、各種のデータベース、テーブルおよびファイルなどが格納される。記憶部１０６には、ＯＳ（Ｏｐｅｒａｔｉｎｇ  Ｓｙｓｔｅｍ）と協働してＣＰＵ（Ｃｅｎｔｒａｌ  Ｐｒｏｃｅｓｓｉｎｇ  Ｕｎｉｔ）に命令を与えて各種処理を行うためのコンピュータプログラムが記録される。記憶部１０６として、例えば、ＲＡＭ（Ｒａｎｄｏｍ  Ａｃｃｅｓｓ  Ｍｅｍｏｒｙ）・ＲＯＭ（Ｒｅａｄ  Ｏｎｌｙ  Ｍｅｍｏｒｙ）等のメモリ装置、ハードディスクのような固定ディスク装置、フレキシブルディスク、および光ディスク等を用いることができる。
【００３０】
記憶部１０６は、例えば、読込データ１０６ａと、定義マスタ１０６ｂと、を備えている。
【００３１】
読込データ１０６ａは、図１９に示すように、例えば、画面上の項目を識別するための項目識別データ（項目ＩＤ）と、前記項目に設定するべき設定値（入力値）と、等を対応付けて含む。例えば、図１９の読込データ１０６ａは、項目「操作モード」に設定するべき設定値として「新規」を含み、項目「事業所」に設定するべき設定値として「ＴＫＹ」を含み、項目「発生日」に設定するべき設定値として「2019/02/15」を含む。
【００３２】
定義マスタ１０６ｂは、図１９に示すように、画面上の項目のすべてに対して、対応する前記設定値を設定するべき旨を定義する。例えば、図１９の定義マスタ１０６ｂにおいては、項目「操作モード」に設定値を設定するべき旨「操作モードのコンボボックスに値をセット」が定義され、項目「事業所」に設定値を設定するべき旨「事業所のテキストボックスに値をセット」が定義され、項目「発生日」に設定値を設定するべき旨「発生日のテキストボックスに値をセット」が定義されている。つまり、すべての項目「操作モード」、「事業所」および「発生日」に対して、対応する前記設定値を設定するべき旨が定義されている。本発明においては、このように、予めたった１つの定義（＝すべての項目に対して、設定値をセットするべき旨が定義された定義）のみを作成しておけばよいため、従来のように項目の状態ごとの定義を作成する（＝複数の定義を作成する）必要がない。
【００３３】
制御部１０２は、設定実行装置１００を統括的に制御するＣＰＵ等である。制御部１０２は、ＯＳ等の制御プログラム・各種の処理手順等を規定したプログラム・所要データなどを格納するための内部メモリを有し、格納されているこれらのプログラムに基づいて種々の情報処理を実行する。
【００３４】
制御部１０２は、機能概念的に、例えば、（１）前記定義マスタにおける定義に従い、前記画面上の前記項目についての前記項目識別データに対応する前記読込データ中の設定値を取得する取得手段としての取得部１０２ａと、（２）前記画面上の前記項目に前記設定値を設定することが不可能であるかないかを識別するための設定可否識別情報であって前記取得手段で取得した設定値に対応する前記項目についてのものが、前記不可能であることを示すものであるかないかを判定する判定手段としての判定部１０２ｂと、（３）前記判定手段で前記不可能であることを示すものではないと判定した場合、前記取得手段で取得した設定値を前記画面上の前記項目に設定する設定手段としての設定部１０２ｃと、（４）前記判定手段で前記不可能であることを示すものであると判定した旨または前記同じ値が設定済であると判定した旨を前記項目単位で含むログを生成するログ生成手段としてのログ生成部１０２ｄと、を備えている。
【００３５】
取得部１０２ａは、定義マスタ１０６ｂにおける定義に従い、画面上の項目についての項目識別データ（項目ＩＤ）に対応する読込データ１０６ａ中の設定値（入力値）を取得する。
【００３６】
判定部１０２ｂは、前記画面上の前記項目に前記設定値を設定することが不可能であるかないかを識別するための設定可否識別情報であって取得部１０２ａで取得した設定値に対応する前記項目についてのものが、前記不可能であることを示すものであるかないかを判定する。前記画面上の前記項目に前記設定値を設定することが不可能であることを示す設定可否識別情報とは、例えば、前記項目が非表示項目であることを示す情報（display:noneおよびvisibility:hidden等の文字列）、または、前記項目が読取専用項目であることを示す情報（disabled="disabled"およびreadonly="readonly"等の文字列）である。
【００３７】
なお、判定部１０２ｂは、前記不可能であることを示すものではないと判定した場合、更に、前記項目に設定するべき設定値と同じ値が前記項目に設定済であるかないかを判定してもよい。
【００３８】
設定部１０２ｃは、判定部１０２ｂで前記不可能であることを示すものではないと判定した場合、取得部１０２ａで取得した設定値を前記画面上の前記項目に設定する。
【００３９】
なお、設定部１０２ｃは、判定部１０２ｂで前記不可能であることを示すものではないと判定し、かつ、前記同じ値が設定済でないと判定した場合に、取得部１０２ａで取得した設定値を前記画面上の前記項目に設定してもよい。
【００４０】
取得部１０２ａ、判定部１０２ｂおよび設定部１０２ｃは、それぞれ、前記取得、前記判定および前記設定を、前記画面上の最初の前記項目から前記画面上の最後の前記項目までについて順に実行する。
【００４１】
ログ生成部１０２ｄは、判定部１０２ｂで前記不可能であることを示すものであると判定した旨または前記同じ値が設定済であると判定した旨を前記項目単位で含むログを生成する。
【００４２】
［３．処理の概要］
本項目では、本実施形態に係る処理の概要を、図８を用いて説明する。
【００４３】
取得部１０２ａは、定義マスタ１０６ｂにおける定義「Ａに値をセット」の定義に従い、画面上の項目Ａについての項目ＩＤに対応する読込データ１０６ａ中の入力値として、値「００１」を取得する。
【００４４】
以下、当該取得した値「００１」の項目Ａへの設定が成功する場合と失敗する場合とに分けて、判定部１０２ｂ、設定部１０２ｃおよびログ生成部１０２ｄが行う処理について図８のフローチャートに沿って説明する。
【００４５】
（１）取得した値「００１」の項目Ａへの設定が成功する場合
判定部１０２ｂは、まず、項目Ａが非表示項目かどうかを判定する（図８のステップＳ１）。非表示項目ではないと判定した場合（図８のステップＳ１：Ｎｏ）、判定部１０２ｂは、次に、項目Ａが読取専用項目かどうかを判定する（図８のステップＳ２）。読取専用項目ではないと判定した場合（図８のステップＳ２：Ｎｏ）、判定部１０２ｂは、項目Ａに設定するべき設定値「００１」と同じ値「００１」が、項目Ａにセット済かどうかを判定する（図８のステップＳ３）。セット済ではないと判定した場合（図８のステップＳ３：Ｎｏ）、設定部１０２ｃは、取得部１０２ａで取得した設定値「００１」を項目Ａに設定する。以上の処理により、設定部１０２ｃは、取得した値「００１」の項目Ａへの設定を成功し、ログ生成部１０２ｄは、「値セット  Aに[001]を入力しました。」のログを生成する（図８のステップＳ４）。
【００４６】
（２）取得した値「００１」の項目Ａへの設定が失敗する場合
判定部１０２ｂが、項目Ａが非表示項目であると判定した場合（図８のステップＳ１：Ｙｅｓ）、設定部１０２ｃは、取得した値「００１」の項目Ａへの設定を失敗し、ログ生成部１０２ｄは、「スキップ  Ａは非表示項目です。」のログを生成する（図８のステップＳ５）。
【００４７】
判定部１０２ｂが、項目Ａが読取専用項目であると判定した場合（図８のステップＳ２：Ｙｅｓ）、設定部１０２ｃは、取得した値「００１」の項目Ａへの設定を失敗し、ログ生成部１０２ｄは、「スキップ  Ａは読取専用項目です。」のログを生成する（図８のステップＳ６）。
【００４８】
判定部１０２ｂが、項目Ａに設定するべき設定値「００１」と同じ値「００１」が、項目Ａにセット済であると判定した場合（図８のステップＳ３：Ｙｅｓ）、設定部１０２ｃは、取得した値「００１」の項目Ａへの設定を失敗し、ログ生成部１０２ｄは、「スキップ  Ａは同じ値で変更済みです。」のログを生成する（図８のステップＳ７）。
【００４９】
（３）項目Ａの次の項目以降の処理について
そして、取得部１０２ａ、判定部１０２ｂ、設定部１０２ｃおよびログ生成部１０２ｄは、画面上における項目Ａの次の項目から画面上における最後の項目までについて、本項目［３．処理の概要］で説明した処理と同様の処理を行う。
【００５０】
以上、本項目［３．処理の概要］で説明したように、本実施形態に係る設定実行装置１００によれば、例えば、操作前に対象項目の状態を取得し、処理を分岐させることができる。言い換えると、処理を行う前に、操作対象項目の状態（非表示や読取専用等）を取得し、操作をスキップする等の判断を行うことができる。
【００５１】
［４．処理の詳細］
本項目では、本実施形態に係る処理の詳細を、主に、図８、図１０〜図１７を用いて説明する。本項目では、Ｗｅｂにおいてテキストボックスへの値のセット処理を行うという場面において、画面上のテキストボックスへの値のセットに先立ち行うチェック（実行前チェック）を［４−１］で説明し、画面上のテキストボックスへの値のセット（実行処理）を［４−２］で説明する。
【００５２】
なお、本項目においては、Ｗｅｂにおける「テキストボックスの値入力処理」（図１８に●印で示す）を実行する場合における実行前チェックおよび実行処理について説明するが、本発明で扱うことが可能な処理は、当処理に限定されず、例えば、図１８の表に示す処理であってもよい。
【００５３】
［４−１．実行前チェック］
（１）対象のテキストボックスが非表示項目かどうかの判定
判定部１０２ｂは、操作対象のプロパティと親のプロパティを見て、操作対象のテキストボックスが非表示かどうかを判定する（図８のステップＳ１に相当）。具体的には、図１５の（Ａ）に示すように操作対象がdisplay:noneの場合、図１５の（Ｂ）に示すように操作対象がvisibility:hiddenの場合、図１５の（Ｃ）に示すように操作対象の親の要素がdisplay:noneの場合、または、図１５の（Ｄ）に示すように操作対象の親の要素がvisibility:hiddenの場合、操作対象のテキストボックスが非表示であると判定する（図８のステップＳ１：Ｙｅｓに相当）。
【００５４】
そして、判定部１０２ｂが操作対象のテキストボックスが非表示であると判定し、かつ、セット値（読込データ１０６ａ中の設定値を指す。以下同じ。）が未指定の場合、ログ生成部１０２ｄは図１０の（Ａ）に示すログを出力して、設定部１０２ｃは処理をスキップする。
【００５５】
これに対して、判定部１０２ｂが操作対象のテキストボックスが非表示であると判定し、かつ、セット値が指定されている場合、ログ生成部１０２ｄは図１０の（Ｂ）に示すログを出力して、設定部１０２ｃは処理をスキップする。
【００５６】
（２）対象のテキストボックスが読取専用項目かどうかの判定
判定部１０２ｂは、操作対象のテキストボックスが非表示ではないと判定した場合（図８のステップＳ１：Ｎｏに相当）、操作対象のプロパティと親のプロパティを見て、操作対象のテキストボックスが読取専用かどうかを判定する（図８のステップＳ２に相当）。具体的には、図１６の（Ａ）に示すように操作対象がdisabled="disabled"の場合、図１６の（Ｂ）に示すように操作対象がreadonly="readonly"の場合、図１６の（Ｃ）に示すように操作対象の親の要素がdisabled="disabled"の場合、または、図１６の（Ｄ）に示すように操作対象の親の要素がreadonly="readonly"の場合、操作対象のテキストボックスが読取専用であると判定する（図８のステップＳ２：Ｙｅｓに相当）。
【００５７】
そして、判定部１０２ｂが操作対象のテキストボックスが読取専用であると判定し、かつ、セット値が未指定の場合、ログ生成部１０２ｄは図１１の（Ａ）に示すログを出力して、設定部１０２ｃは処理をスキップする。
【００５８】
これに対して、判定部１０２ｂが操作対象のテキストボックスが読取専用であると判定し、かつ、セット値が指定されている場合、ログ生成部１０２ｄは図１１の（Ｂ）に示すログを出力して、設定部１０２ｃは処理をスキップする。
【００５９】
（３）セット値が未指定かどうかの判定
判定部１０２ｂは、操作対象のテキストボックスが非表示ではなく（図８のステップＳ１：Ｎｏに相当）、かつ、操作対象のテキストボックスが読取専用ではないと判定した場合（図８のステップＳ２：Ｎｏに相当）、セット値が未指定かどうかを判定する。未指定の場合、ログ生成部１０２ｄは図１２に示すログを出力して、設定部１０２ｃは処理をスキップする。
【００６０】
（４）テキストボックスが、既にセットしようとする値になっているかどうかの判定
判定部１０２ｂは、操作対象のテキストボックスが非表示ではなく（図８のステップＳ１：Ｎｏに相当）、操作対象のテキストボックスが読取専用ではなく（図８のステップＳ２：Ｎｏに相当）、かつ、セット値が未指定でははいと判定した場合、操作対象のプロパティを見て、テキストボックスが、既にセットしようとする値になっているかどうかを判定する（図８のステップＳ３に相当）。具体的には、図１７に示すように、操作対象がvalue="テスト123"となっており、かつ、「テスト123」をセットしようとしている場合、判定部１０２ｂは、既に同じ値がセットされていると判定する（図８のステップＳ３：Ｙｅｓに相当）。この場合、ログ生成部１０２ｄは図１３に示すログを出力して、設定部１０２ｃは処理をスキップする。
【００６１】
［４−２．実行処理］
（１）値のセットに成功する場合
判定部１０２ｂが、操作対象のテキストボックスが非表示ではなく（図８のステップＳ１：Ｎｏに相当）、操作対象のテキストボックスが読取専用ではなく（図８のステップＳ２：Ｎｏに相当）、セット値が未指定でははく、かつ、テキストボックスが既にセットしようとする値になってはいないと判定した場合（図８のステップＳ３：Ｎｏに相当）、ログ生成部１０２ｄは図１４の（Ａ）に示すログを出力して、設定部１０２ｃはテキストボックスに値をセットして（＝値のセットに成功して）処理を終了する。
【００６２】
（２）値のセットに失敗する場合
判定部１０２ｂが、［４−１．実行前チェック］で説明したように処理をスキップした場合、ログ生成部１０２ｄは図１４の（Ｂ）に示すログを出力して、設定部１０２ｃはテキストボックスに値をセットせずに（＝値のセットに失敗して）処理を終了する。
【００６３】
［５．本実施形態のまとめ］
このように、本実施形態に係る設定実行装置１００によれば、画面上の項目に設定値を設定することが不可能であるかないかを自動的に判定することにより、予め設定したたった１つの定義に基づいて、設定を実行することができる。本実施形態に係る設定実行装置１００は、例えば、パソコン画面上において、膨大な数の項目に値の入力や設定を行う場合（例えば、伝票入力を行う場合）において極めて有用である。
【００６４】
ここで、アプリケーション自動操作時に操作方法の自動判断をするためには、従来においては、以下の１〜２の対応および問題点が存在した。
１．画面項目の状態ごとに自動操作を定義する必要があった。これに起因して、従来においては、定義作成の難易度が高く、そのパターンの定義も煩雑になってしまうという問題があった。
２．画面項目の状態等に起因して自動操作が止まった場合、原因が分かりにくかった。これに起因して、従来においては、失敗の原因調査や定義の保守に多大なコストがかかるという問題があった。
【００６５】
そこで、本実施形態においては、前記「１．」に記載した問題を解決するために、例えば、操作対象の項目の状態（非表示や読取専用等）やセットする値を自動判断し、操作を行うべきかどうか等のオペレーションを自動で変更できるようにした。これにより、例えば、自動定義作成の際に画面項目の状態を考慮する必要がなくなり、１つの自動操作定義で多くの入力パターンに対応できるようになった。すなわち、本実施形態においては、簡便にかつ低コストで自動操作定義を作成できるようになった。
【００６６】
また、本実施形態においては、前記「２．」に記載した問題を解決するために、例えば、図９に示すように自動判断した結果や不適切な操作をログに残すため、自動操作が意図しない動きをした場合に原因の調査がしやすく、結果として、簡便にかつ低コストで自動操作定義の保守をできるようになった。
【００６７】
［６．他の実施形態］
本発明は、上述した実施形態以外にも、特許請求の範囲に記載した技術的思想の範囲内において種々の異なる実施形態にて実施されてよいものである。
【００６８】
例えば、実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【００６９】
また、本明細書中や図面中で示した処理手順、制御手順、具体的名称、各処理の登録データや検索条件等のパラメータを含む情報、画面例、データベース構成については、特記する場合を除いて任意に変更することができる。
【００７０】
また、設定実行装置１００に関して、図示の各構成要素は機能概念的なものであり、必ずしも物理的に図示の如く構成されていることを要しない。
【００７１】
例えば、設定実行装置１００が備える処理機能、特に制御部にて行われる各処理機能については、その全部または任意の一部を、ＣＰＵおよび当該ＣＰＵにて解釈実行されるプログラムにて実現してもよく、また、ワイヤードロジックによるハードウェアとして実現してもよい。尚、プログラムは、本実施形態で説明した処理を情報処理装置に実行させるためのプログラム化された命令を含む一時的でないコンピュータ読み取り可能な記録媒体に記録されており、必要に応じて設定実行装置１００に機械的に読み取られる。すなわち、ＲＯＭまたはＨＤＤ（Ｈａｒｄ  Ｄｉｓｋ  Ｄｒｉｖｅ）などの記憶部などには、ＯＳと協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【００７２】
また、このコンピュータプログラムは、設定実行装置１００に対して任意のネットワークを介して接続されたアプリケーションプログラムサーバに記憶されていてもよく、必要に応じてその全部または一部をダウンロードすることも可能である。
【００７３】
また、本実施形態で説明した処理を実行するためのプログラムを、一時的でないコンピュータ読み取り可能な記録媒体に格納してもよく、また、プログラム製品として構成することもできる。ここで、この「記録媒体」とは、メモリーカード、ＵＳＢ（Ｕｎｉｖｅｒｓａｌ  Ｓｅｒｉａｌ  Ｂｕｓ）メモリ、ＳＤ（Ｓｅｃｕｒｅ  Ｄｉｇｉｔａｌ）カード、フレキシブルディスク、光磁気ディスク、ＲＯＭ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（登録商標）（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）、ＣＤ−ＲＯＭ（Ｃｏｍｐａｃｔ  Ｄｉｓｋ  Ｒｅａｄ  Ｏｎｌｙ  Ｍｅｍｏｒｙ）、ＭＯ（Ｍａｇｎｅｔｏ−Ｏｐｔｉｃａｌ  ｄｉｓｋ）、ＤＶＤ（Ｄｉｇｉｔａｌ  Ｖｅｒｓａｔｉｌｅ  Ｄｉｓｋ）、および、Ｂｌｕ−ｒａｙ（登録商標）  Ｄｉｓｃ等の任意の「可搬用の物理媒体」を含むものとする。
【００７４】
また、「プログラム」とは、任意の言語または記述方法にて記述されたデータ処理方法であり、ソースコードまたはバイナリコード等の形式を問わない。なお、「プログラム」は必ずしも単一的に構成されるものに限られず、複数のモジュールやライブラリとして分散構成されるものや、ＯＳに代表される別個のプログラムと協働してその機能を達成するものをも含む。なお、実施形態に示した各装置において記録媒体を読み取るための具体的な構成および読み取り手順ならびに読み取り後のインストール手順等については、周知の構成や手順を用いることができる。
【００７５】
記憶部に格納される各種のデータベース等は、ＲＡＭ、ＲＯＭ等のメモリ装置、ハードディスク等の固定ディスク装置、フレキシブルディスク、および、光ディスク等のストレージ手段であり、各種処理やウェブサイト提供に用いる各種のプログラム、テーブル、データベース、および、ウェブページ用ファイル等を格納する。
【００７６】
また、設定実行装置１００は、既知のパーソナルコンピュータまたはワークステーション等の情報処理装置として構成してもよく、また、任意の周辺装置が接続された当該情報処理装置として構成してもよい。また、設定実行装置１００は、当該装置に本実施形態で説明した処理を実現させるソフトウェア（プログラムまたはデータ等を含む）を実装することにより実現してもよい。
【００７７】
更に、装置の分散・統合の具体的形態は図示するものに限られず、その全部または一部を、各種の付加等に応じてまたは機能負荷に応じて、任意の単位で機能的または物理的に分散・統合して構成することができる。すなわち、上述した実施形態を任意に組み合わせて実施してもよく、実施形態を選択的に実施してもよい。
【産業上の利用可能性】
【００７８】
本発明は、例えば、あらゆる業界および業種において有用であるが、特に、パソコン作業（例えば、パソコン上での伝票入力業務）を自動化することによる業務効率化を課題とする分野においては極めて有用である。
【符号の説明】
【００７９】
１００  設定実行装置
１０２  制御部
１０２ａ  取得部
１０２ｂ  判定部
１０２ｃ  設定部
１０２ｄ  ログ生成部
１０４  通信インターフェース部
１０６  記憶部
１０６ａ  読込データ
１０６ｂ  定義マスタ
１０８  入出力インターフェース部
１１２  入力装置
１１４  出力装置
２００  サーバ
３００  ネットワーク
【図１】
2020194330.tif 000003
【図２】
2020194330.tif 000004
【図３】
2020194330.tif 000005
【図４】
2020194330.tif 000006
【図５】
2020194330.tif 000007
【図６】
2020194330.tif 000008
【図７】
2020194330.tif 000009
【図８】
2020194330.tif 000010
【図９】
2020194330.tif 000011
【図１０】
2020194330.tif 000012
【図１１】
2020194330.tif 000013
【図１２】
2020194330.tif 000014
【図１３】
2020194330.tif 000015
【図１４】
2020194330.tif 000016
【図１５】
2020194330.tif 000017
【図１６】
2020194330.tif 000018
【図１７】
2020194330.tif 000019
【図１８】
2020194330.tif 000020
【図１９】
2020194330.tif 000021
【手続補正書】
【提出日】令和2年4月6日(2020.4.6)
【手続補正１】
【補正対象書類名】特許請求の範囲
【補正対象項目名】全文
【補正方法】変更
【補正の内容】
【特許請求の範囲】
【請求項１】
制御部および記憶部を備える設定実行装置であって、
前記記憶部には、
画面上の項目を識別するための項目識別データと前記項目に設定するべき設定値とを対応付けて含む読込データと、
前記項目のすべてに対して、対応する前記設定値を設定するべき旨を定義する定義マスタと、
が格納されており、
前記制御部は、
前記定義マスタにおける定義に従い、前記画面上の前記項目についての前記項目識別データに対応する前記読込データ中の設定値を取得する取得手段と、
前記画面上の前記項目に前記設定値を設定することが不可能であるかないかを識別するための設定可否識別情報であって前記取得手段で取得した設定値に対応する前記項目についてのものが、前記不可能であることを示すものであるかないかを判定する判定手段と、
前記判定手段で前記不可能であることを示すものではないと判定した場合、前記取得手段で取得した設定値を前記画面上の前記項目に設定する設定手段と、
を備え、
前記取得手段、前記判定手段および前記設定手段は、それぞれ、前記取得、前記判定および前記設定を、前記画面上の最初の前記項目から前記画面上の最後の前記項目までについて順に実行すること、
を特徴とする設定実行装置。
【請求項２】
前記判定手段は、前記不可能であることを示すものではないと判定した場合、更に、前記項目に設定するべき設定値と同じ値が前記項目に設定済であるかないかを判定し、
前記設定手段は、前記判定手段で前記不可能であることを示すものではないと判定し、かつ、前記同じ値が設定済ではないと判定した場合、前記取得手段で取得した設定値を前記画面上の前記項目に設定すること、
を特徴とする請求項１に記載の設定実行装置。
【請求項３】
前記制御部は、
前記判定手段で前記不可能であることを示すものであると判定した旨または前記同じ値が設定済であると判定した旨を前記項目単位で含むログを生成するログ生成手段
を更に備えること、
を特徴とする請求項２に記載の設定実行装置。
【請求項４】
前記最初の前記項目の次の前記項目から前記最後の前記項目までの少なくとも一つの前記項目が状態変化項目であり、当該状態変化項目は、当該状態変化項目についての前記設定可否識別情報が当該状態変化項目より前の前記項目に設定された設定値に応じて変化する性質を有するものであること、
を特徴とする請求項１から３のいずれか一つに記載の設定実行装置。
【請求項５】
制御部および記憶部を備える情報処理装置の前記制御部が実行する設定実行方法であって、
前記記憶部には、
画面上の項目を識別するための項目識別データと前記項目に設定するべき設定値とを対応付けて含む読込データと、
前記項目のすべてに対して、対応する前記設定値を設定するべき旨を定義する定義マスタと、
が格納されており、
前記制御部が実行する、
前記定義マスタにおける定義に従い、前記画面上の前記項目についての前記項目識別データに対応する前記読込データ中の設定値を取得する取得ステップと、
前記画面上の前記項目に前記設定値を設定することが不可能であるかないかを識別するための設定可否識別情報であって前記取得ステップで取得した設定値に対応する前記項目についてのものが、前記不可能であることを示すものであるかないかを判定する判定ステップと、
前記判定ステップで前記不可能であることを示すものではないと判定した場合、前記取得ステップで取得した設定値を前記画面上の前記項目に設定する設定ステップと、
を含み、
前記制御部は、前記取得ステップ、前記判定ステップおよび前記設定ステップにおいて、それぞれ、前記取得、前記判定および前記設定を、前記画面上の最初の前記項目から前記画面上の最後の前記項目までについて順に実行すること、
を特徴とする設定実行方法。
【請求項６】
制御部および記憶部を備える情報処理装置に実行させるための設定実行プログラムであって、
前記記憶部には、
画面上の項目を識別するための項目識別データと前記項目に設定するべき設定値とを対応付けて含む読込データと、
前記項目のすべてに対して、対応する前記設定値を設定するべき旨を定義する定義マスタと、
が格納されており、
前記制御部に実行させるための、
前記定義マスタにおける定義に従い、前記画面上の前記項目についての前記項目識別データに対応する前記読込データ中の設定値を取得する取得ステップと、
前記画面上の前記項目に前記設定値を設定することが不可能であるかないかを識別するための設定可否識別情報であって前記取得ステップで取得した設定値に対応する前記項目についてのものが、前記不可能であることを示すものであるかないかを判定する判定ステップと、
前記判定ステップで前記不可能であることを示すものではないと判定した場合、前記取得ステップで取得した設定値を前記画面上の前記項目に設定する設定ステップと、
を含み、
前記取得ステップ、前記判定ステップおよび前記設定ステップは、それぞれ、前記取得、前記判定および前記設定を、前記画面上の最初の前記項目から前記画面上の最後の前記項目までについて順に実行すること、
を特徴とする設定実行プログラム。
【手続補正書】
【提出日】令和2年9月9日(2020.9.9)
【手続補正１】
【補正対象書類名】特許請求の範囲
【補正対象項目名】全文
【補正方法】変更
【補正の内容】
【特許請求の範囲】
【請求項１】
制御部および記憶部を備える設定実行装置であって、
前記記憶部には、
画面上の項目を識別するための項目識別データと前記項目に設定するべき設定値とを対応付けて含む読込データと、
前記項目のすべてに対して、対応する前記設定値を設定するべき旨を定義する定義マスタと、
が格納されており、
前記制御部は、
前記定義マスタにおける定義に従い、前記画面上の前記項目についての前記項目識別データに対応する前記読込データ中の設定値を取得する取得手段と、
前記画面上の前記項目に前記設定値を設定することが不可能であるかないかを識別するための設定可否識別情報であって前記取得手段で取得した設定値に対応する前記項目についてのものが、前記不可能であることを示すものであるかないかを判定する判定手段と、
前記判定手段で前記不可能であることを示すものではないと判定した場合、前記取得手段で取得した設定値を前記画面上の前記項目に設定する設定手段と、
を備え、
前記取得手段、前記判定手段および前記設定手段は、それぞれ、前記取得、前記判定および前記設定を、前記画面上の最初の前記項目から前記画面上の最後の前記項目までについて順に実行し、
前記最初の前記項目の次の前記項目から前記最後の前記項目までの少なくとも一つの前記項目が状態変化項目であり、当該状態変化項目は、当該状態変化項目についての前記設定可否識別情報が当該状態変化項目より前の前記項目に設定された設定値に応じて変化する性質を有するものであること、
を特徴とする設定実行装置。
【請求項２】
前記判定手段は、前記不可能であることを示すものではないと判定した場合、更に、前記項目に設定するべき設定値と同じ値が前記項目に設定済であるかないかを判定し、
前記設定手段は、前記判定手段で前記不可能であることを示すものではないと判定し、かつ、前記同じ値が設定済ではないと判定した場合、前記取得手段で取得した設定値を前記画面上の前記項目に設定すること、
を特徴とする請求項１に記載の設定実行装置。
【請求項３】
前記制御部は、
前記判定手段で前記不可能であることを示すものであると判定した旨または前記同じ値が設定済であると判定した旨を前記項目単位で含むログを生成するログ生成手段
を更に備えること、
を特徴とする請求項２に記載の設定実行装置。
【請求項４】
制御部および記憶部を備える情報処理装置の前記制御部が実行する設定実行方法であって、
前記記憶部には、
画面上の項目を識別するための項目識別データと前記項目に設定するべき設定値とを対応付けて含む読込データと、
前記項目のすべてに対して、対応する前記設定値を設定するべき旨を定義する定義マスタと、
が格納されており、
前記制御部が実行する、
前記定義マスタにおける定義に従い、前記画面上の前記項目についての前記項目識別データに対応する前記読込データ中の設定値を取得する取得ステップと、
前記画面上の前記項目に前記設定値を設定することが不可能であるかないかを識別するための設定可否識別情報であって前記取得ステップで取得した設定値に対応する前記項目についてのものが、前記不可能であることを示すものであるかないかを判定する判定ステップと、
前記判定ステップで前記不可能であることを示すものではないと判定した場合、前記取得ステップで取得した設定値を前記画面上の前記項目に設定する設定ステップと、
を含み、
前記制御部は、前記取得ステップ、前記判定ステップおよび前記設定ステップにおいて、それぞれ、前記取得、前記判定および前記設定を、前記画面上の最初の前記項目から前記画面上の最後の前記項目までについて順に実行し、
前記最初の前記項目の次の前記項目から前記最後の前記項目までの少なくとも一つの前記項目が状態変化項目であり、当該状態変化項目は、当該状態変化項目についての前記設定可否識別情報が当該状態変化項目より前の前記項目に設定された設定値に応じて変化する性質を有するものであること、
を特徴とする設定実行方法。
【請求項５】
制御部および記憶部を備える情報処理装置に実行させるための設定実行プログラムであって、
前記記憶部には、
画面上の項目を識別するための項目識別データと前記項目に設定するべき設定値とを対応付けて含む読込データと、
前記項目のすべてに対して、対応する前記設定値を設定するべき旨を定義する定義マスタと、
が格納されており、
前記制御部に実行させるための、
前記定義マスタにおける定義に従い、前記画面上の前記項目についての前記項目識別データに対応する前記読込データ中の設定値を取得する取得ステップと、
前記画面上の前記項目に前記設定値を設定することが不可能であるかないかを識別するための設定可否識別情報であって前記取得ステップで取得した設定値に対応する前記項目についてのものが、前記不可能であることを示すものであるかないかを判定する判定ステップと、
前記判定ステップで前記不可能であることを示すものではないと判定した場合、前記取得ステップで取得した設定値を前記画面上の前記項目に設定する設定ステップと、
を含み、
前記取得ステップ、前記判定ステップおよび前記設定ステップは、それぞれ、前記取得、前記判定および前記設定を、前記画面上の最初の前記項目から前記画面上の最後の前記項目までについて順に実行し、
前記最初の前記項目の次の前記項目から前記最後の前記項目までの少なくとも一つの前記項目が状態変化項目であり、当該状態変化項目は、当該状態変化項目についての前記設定可否識別情報が当該状態変化項目より前の前記項目に設定された設定値に応じて変化する性質を有するものであること、
を特徴とする設定実行プログラム。